(57)【特許請求の範囲】
【請求項１】
光源モジュールから出射された光を光ディスク上に集光して情報の記録／再生を行う光ピックアップに搭載される光源装置において、前記光源モジュールに複数の発光点を設置し、各発光点に対応する光ディスク上の各集光点が光ディスクの半径方向に配列されるように、各発光点の位置を設定したことを特徴とする光源装置。
【請求項２】
光源モジュールから出射された光を光ディスク上に集光して情報の記録／再生を行う光ピックアップを粗動機構によって光ディスクの半径方向へ搬送する光ディスク装置における前記光ピックアップに搭載される光源装置において、前記光源モジュールに複数の発光点を設置し、各発光点に対応する光ディスク上の各集光点が粗動機構の搬送方向に配列されるように、各発光点の位置を設定したことを特徴とする光源装置。
【請求項３】
前記各発光点につき３つ以上の集光点を光ディスク上に照射するように、前記光源モジュールから出射された光を分割する回折格子を備えたことを特徴とする請求項１または２記載の光源装置。
【請求項４】
前記回折格子を前記光源モジュールに固定したことを特徴とする請求項３記載の光源装置。
【請求項５】
前記各発光点からの出射光の波長を異なるように設定したことを特徴とする請求項１〜４いずれか１項記載の光源装置。
【請求項６】
ｎ番目の発光点が形成する光ディスク上のスポットの間隔をＢｎ、ｎ番目の発光点が対象とする光ディスクのトラックピッチをＴｎ、発光点により異なる自然数となる定数をＫｎ、発光点によらず一定の値となる定数をθとしたとき、各発光点すべてについて、
【数１】
0004038012.tif 000002
の式を満たすように前記回折格子を設定したことを特徴とする請求項３〜５いずれか１項記載の光源装置。
【請求項７】
ｎ番目の発光点が形成する光ディスク上のスポットの間隔をＢｎ、ｎ番目の発光点が対象とする光ディスクのトラックピッチをＴｎ、発光点により異なる自然数となる定数をＫｎ、発光点によらず一定の値となる定数をθとしたとき、各発光点すべてについて、
【数２】
0004038012.tif 000003
の式を満たすように前記回折格子を設定したことを特徴とする請求項３〜５いずれか１項記載の光源装置。
【請求項８】
ｎ番目の発光点が形成する光ディスク上のスポットの間隔をＢｎ、ｎ番目の発光点が対象とする光ディスクのトラックピッチをＴｎ、発光点により異なる自然数となる定数をＫｎ、発光点によらず一定の値となる定数をθとしたとき、各発光点すべてについて、
【数３】
0004038012.tif 000004
あるいは
【数４】
0004038012.tif 000005
の式のいずれかを満たすように前記回折格子を設定したことを特徴とする請求項３〜５いずれか１項記載の光源装置。
【請求項９】
ｎ番目の発光点が形成する光ディスク上のスポットの間隔をＢｎ、ｎ番目の発光点が対象とする光ディスクのトラックピッチをＴｎ、発光点により異なる自然数となる定数をＫｎ、発光点によらず一定の値となる定数をθとしたとき、各発光点すべてについて、
【数５】
0004038012.tif 000006
の式を満たすように前記回折格子を設定したことを特徴とする請求項３〜５いずれか１項記載の光源装置。
【請求項１０】
ｎ番目の発光点が形成する光ディスク上のスポットの間隔をＢｎ、ｎ番目の発光点が対象とする光ディスクのトラックピッチをＴｎ、発光点により異なる自然数となる定数をＫｎ、発光点によらず一定の値となる定数をθとしたとき、各発光点すべてについて、
【数６】
0004038012.tif 000007
の式を満たすように前記回折格子を設定したことを特徴とする請求項３〜５いずれか１項記載の光源装置。
【請求項１１】
ｎ番目の発光点が形成する光ディスク上のスポットの間隔をＢｎ、ｎ番目の発光点が対象とする光ディスクのトラックピッチをＴｎ、発光点により異なる自然数となる定数をＫｎ、発光点によらず一定の値となる定数をθとしたとき、各発光点すべてについて、
【数７】
0004038012.tif 000008
あるいは
【数８】
0004038012.tif 000009
の式のいずれかを満たすように前記回折格子を設定したことを特徴とする請求項３〜５いずれか１項記載の光源装置。
【請求項１２】
前記発光点の配列方向と前記回折格子の格子方向との成す角が前記θであることを特徴とする請求項６〜１１のいずれか１項記載の光源装置。
【発明の詳細な説明】
【０００１】
【発明の属する技術分野】
本発明は、光源モジュールから出射された光を光ディスク上に集光して情報の記録／再生を行う光ピックアップに搭載される光源装置に関するものである。
【０００２】
【従来の技術】
従来、再生専用の光ディスク装置に用いられるトラッキングエラー検出方法として、一般的に３ビーム検出方法が採用されている。記録機能を持つ光ディスク装置では、トラッキングエラー検出方法として、差動プッシュプル検出方法が一般的に採用されている。両検出方法とも、光ディスク上のメインスポットの両脇に所定の等距離だけ離れたサイドスポットを照射し、サイドスポットからの反射光、あるいはサイドスポットとメインスポットからの反射光から得られる信号を演算して、トラッキングエラー信号のオフセットを防止している。
【０００３】
一方、レーザ光源と受光素子とを一つのパッケージに収め、ホログラム素子によって、光ディスクからの反射光を受光素子に導く構成の光ピックアップがあり、信頼性向上やコスト低減に有利なことから、ＣＤ−ＲＯＭ再生装置において既に広く採用されている。
【０００４】
また、２種類の光源を必要とするＣＤ／ＤＶＤ再生装置においても、２つの光源と受光素子とを一つのパッケージに収めて構成を簡略化した製品が登場し始めている。
【０００５】
前記技術に関して、特開平１０−１０５９９９号公報，特開２０００−２０９９７号公報，特開２０００−１３２８６２号公報などが提案されている。
【０００６】
【発明が解決しようとする課題】
しかしながら、前記２つの光源と受光素子とを一つのパッケージに収めた構成のものでは、２つの発光点からの出射光が光ディスク上の別々の位置に集光するため、サイドスポットを利用したトラッキングエラー検出方法を両方の光源に対して採用することが困難である。これは、出射光を３つに分割する回折格子が２光源で共通となってしまうために、２光源別々にサイドスポット位置を調整することができないためである。
【０００７】
本発明の目的は、前記従来の問題を解決し、異なる発光点から出射した光に対して、トラッキングエラー検出方法としての３ビーム法，差動プッシュプル法を適用可能にする光源装置を提供することにある。
【０００８】
【課題を解決するための手段】
前記目的を達成するため、請求項１記載の発明は、光源モジュールから出射された光を光ディスク上に集光して情報の記録／再生を行う光ピックアップに搭載される光源装置において、前記光源モジュールに複数の発光点を設置し、各発光点に対応する光ディスク上の各集光点が光ディスクの半径方向に配列されるように、各発光点の位置を設定したことを特徴とし、この構成によって、光ディスク上の集光点が各発光点により半径方向へずれるように設定されるため、差動プッシュプル法や３ビーム法におけるメインスポットとサイドスポットの最適な配列方向を各発光点で同一にすることができる。
【０００９】
請求項２記載の発明は、光源モジュールから出射された光を光ディスク上に集光して情報の記録／再生を行う光ピックアップを粗動機構によって光ディスクの半径方向へ搬送する光ディスク装置における前記光ピックアップに搭載される光源装置において、前記光源モジュールに複数の発光点を設置し、各発光点に対応する光ディスク上の各集光点が粗動機構の搬送方向に配列されるように、各発光点の位置を設定したことを特徴とし、この構成によって、光ディスク上の集光点が各発光点によりシーク方向（粗動機構の搬送方向）へずれるように設定されているため、差動プッシュプル法や３ビーム法において、トラッキングエラー信号のシーク動作による変動が最少となる設定を各発光点で同一にすることができる。
【００１０】
請求項３記載の発明は、請求項１または２記載の光源装置において、各発光点につき３つ以上の集光点を光ディスク上に照射するように、光源モジュールから出射された光を分割する回折格子を備えたことを特徴とし、この構成によって、回折格子により、差動プッシュプル法や３ビーム法におけるサイドスポットを容易に生成することができ、各発光点でサイドスポット生成手段を共有化することができる。
【００１１】
請求項４記載の発明は、請求項３記載の光源装置において、回折格子を光源モジュールに固定したことを特徴とし、この構成によって、出射光束分割用の回折格子が光源モジュールに固定されるために、経時変化や温度変化の影響を受け難く安定した特性が得られる。
【００１２】
請求項５記載の発明は、請求項１〜４いずれか１項記載の光源装置において、各発光点からの出射光の波長を異なるように設定したことを特徴とし、この構成によって、発光点を切り替えることにより使用波長の異なる複数種類の光ディスクに対応することが可能になる。
【００１３】
請求項６記載の発明は、請求項３〜５いずれか１項記載の光源装置において、ｎ番目の発光点が形成する光ディスク上のスポットの間隔をＢｎ、ｎ番目の発光点が対象とする光ディスクのトラックピッチをＴｎ、発光点により異なる自然数となる定数をＫｎ、発光点によらず一定の値となる定数をθとしたとき、各発光点すべてについて、Ｂｎ×ｓｉｎθ≒Ｔｎ×（２×Ｋｎ−１）／２の式を満たすように回折格子を設定したことを特徴とし、この構成によって、サイドスポット生成条件が使用波長とトラックピッチの複数の組合わせに対応して差動プッシュプル法用に設定されるため、発光点を切り替えることにより使用波長やトラックピッチの異なる複数種類の光ディスクに差動プッシュプル法で対応することができる。
【００１４】
請求項７記載の発明は、請求項３〜５いずれか１項記載の光源装置において、ｎ番目の発光点が形成する光ディスク上のスポットの間隔をＢｎ、ｎ番目の発光点が対象とする光ディスクのトラックピッチをＴｎ、発光点により異なる自然数となる定数をＫｎ、発光点によらず一定の値となる定数をθとしたとき、各発光点すべてについて、Ｂｎ×ｓｉｎθ≒Ｔｎ×（２×Ｋｎ−１）／４の式を満たすように回折格子を設定したことを特徴とし、この構成によって、サイドスポット生成条件が使用波長とトラックピッチの複数の組合わせに対応して３ビーム法用に設定されるため、発光点を切り替えることにより使用波長やトラックピッチの異なる複数種類の光ディスクに３ビーム法で対応することができる。
【００１５】
請求項８記載の発明は、請求項３〜５いずれか１項記載の光源装置において、ｎ番目の発光点が形成する光ディスク上のスポットの間隔をＢｎ、ｎ番目の発光点が対象とする光ディスクのトラックピッチをＴｎ、発光点により異なる自然数となる定数をＫｎ、発光点によらず一定の値となる定数をθとしたとき、各発光点すべてについて、Ｂｎ×ｓｉｎθ≒Ｔｎ×（２×Ｋｎ−１）／２、あるいはＢｎ×ｓｉｎθ≒Ｔｎ×（２×Ｋｎ−１）／４の式のいずれかを満たすように回折格子を設定したことを特徴とし、この構成によって、サイドスポット生成条件が使用波長とトラックピッチとトラッキングエラー検出方法の複数の組合わせに対応して設定されるため、発光点を切り替えることにより使用波長やトラックピッチやトラッキングエラー検出方法の異なる複数種類の光ディスクに対応することができる。
【００１６】
請求項９記載の発明は、請求項３〜５いずれか１項記載の光源装置において、ｎ番目の発光点が形成する光ディスク上のスポットの間隔をＢｎ、ｎ番目の発光点が対象とする光ディスクのトラックピッチをＴｎ、発光点により異なる自然数となる定数をＫｎ、発光点によらず一定の値となる定数をθとしたとき、各発光点すべてについて、Ｂｎ×ｓｉｎθ≠Ｔｎ×Ｋｎの式を満たすように回折格子を設定したことを特徴とし、この構成によって、サイドスポット生成条件が使用波長とトラックピッチの複数の組合わせに対応して差動プッシュプル法用に設定されるため、発光点を切り替えることにより使用波長やトラックピッチの異なる複数種類の光ディスクに差動プッシュプル法で対応することができる。
【００１７】
請求項１０記載の発明は、請求項３〜５いずれか１項記載の光源装置において、ｎ番目の発光点が形成する光ディスク上のスポットの間隔をＢｎ、ｎ番目の発光点が対象とする光ディスクのトラックピッチをＴｎ、発光点により異なる自然数となる定数をＫｎ、発光点によらず一定の値となる定数をθとしたとき、各発光点すべてについて、Ｂｎ×ｓｉｎθ≠Ｔｎ×Ｋｎ／２の式を満たすように回折格子を設定したことを特徴とし、この構成によって、サイドスポット生成条件が使用波長とトラックピッチの複数の組合わせに対応して３ビーム法用に設定されるため、発光点を切り替えることにより使用波長やトラックピッチの異なる複数種類の光ディスクに３ビーム法で対応することができる。
【００１８】
請求項１１記載の発明は、請求項３〜５いずれか１項記載の光源装置において、ｎ番目の発光点が形成する光ディスク上のスポットの間隔をＢｎ、ｎ番目の発光点が対象とする光ディスクのトラックピッチをＴｎ、発光点により異なる自然数となる定数をＫｎ、発光点によらず一定の値となる定数をθとしたとき、各発光点すべてについて、Ｂｎ×ｓｉｎθ≠Ｔｎ×Ｋｎ、あるいはＢｎ×ｓｉｎθ≠Ｔｎ×Ｋｎ／２の式のいずれかを満たすように回折格子を設定したことを特徴とし、この構成によって、サイドスポット生成条件が使用波長とトラックピッチとトラッキングエラー検出方法の複数の組合わせに対応して設定されるため、発光点を切り替えることにより使用波長やトラックピッチやトラッキングエラー検出方法の異なる複数種類の光ディスクに対応することができる。
【００１９】
請求項１２記載の発明は、請求項６〜１１のいずれか１項記載の光源装置において、発光点の配列方向と回折格子の格子方向との成す角が前記θであることを特徴とし、この構成によって、回折格子の格子方向が発光点の配列方向に対して所定の方向に設定されるため、回折格子を光源モジュールに固定した後に光源モジュールごと回転させて、光ディスク上の集光点配列方向を調整すると共に、発光点による光ディスク上の集光点のずれを半径方向にすることができる。
【００２０】
【発明の実施の形態】
以下、本発明の好適な実施形態について図面を参照しながら説明する。
【００２１】
図１は本発明の実施形態を説明するための光ピックアップを示す斜視図であり、ハウジング１内に、光源モジュール２とカップリングレンズ３と立上げミラー４とが固定されており、対物レンズ５が図示しない電磁駆動系によりｘ軸方向（光ディスクＤの半径方向：トラッキング方向）とｚ方向（フォーカシング方向）へ移動自在に設置されている。
【００２２】
光源モジュール２は、複数（本例では２個）の発光点である第１の光源６と第２の光源７と受光素子８とを内蔵しており、第１の光源６と第２の７とはｘ軸方向へ配列されている。ホログラム素子９と回折格子１０とは光源モジュール２に対して位置調整可能であり、調整後にハウジング１あるいは光源モジュール２に固定される。ハウジング１は、図示しない粗動機構によってシーク方向（ｘ方向）へ移動自在に支持されており、ｘ方向へ移動することにより、対物レンズ５の位置が光ディスクＤの半径方向へ移動するようになっている。
【００２３】
両光源６，７からｙ軸方向へ出射された光は、それぞれホログラム素子９および回折格子１０を透過してカップリングレンズ３で発散度合を変更させられ、立上げミラー４でディスクＤの記録面方向（ｚ方向）へ偏向させられ、対物レンズ５へ入射し、光ディスクＤの記録面上に集光する。回折格子１０を透過する際に０次光と＋１次光と−１次光との３本の光束へ分割され、光ディスクＤの記録面上には１つの光源につき３つの集光点が存在する。
【００２４】
そして、光ディスクＤ上の３つの集光点は、それぞれ光ディスクＤで反射して前記と逆の光路を辿り、ホログラム素子９によって分割，回折され、光源６，７側への光路から分岐して受光素子８へ入射する。受光素子８では、反射光を光電変換してフォーカスエラー信号，トラッキングエラー信号，記録信号を出力する。
【００２５】
図２は図１における光ディスクＤ上の集光点位置を示す説明図であり、第１の光源６を出射して回折格子１０を透過した０次光の集光点がＭ１、＋１次光の集光点がＳ１＋、−１次光の集光点がＳ１−である。集光点Ｓ１＋，Ｍ１，Ｓ１−は直列し、光ディスクＤのトラック方向と若干角度を成し、２つのサイドスポット（Ｓ１＋，Ｓ１−）がメインスポット（Ｍ１）から共に１／２Ｔｐ（トラックピッチ）ずれたところに位置するように回折格子１０の格子方向が調整されている。このような集光点配置により差動プッシュプル法によるトラッキングエラー信号検出が可能となる。
【００２６】
一方、第２の光源７は１の光源６とｘ軸方向へ並んで設置されているため、第２の光源７による光ディスクＤ上の３つの集光点（Ｓ２＋，Ｍ２，Ｓ２−）は第１の光源６の３つの集光点（Ｓ１＋，Ｍ１，Ｓ１−）からｘ方向へ等距離ずれた位置へ各々集光する。したがって第２の光源７による光ディスクＤ上の３つの集光点（Ｓ２＋，Ｍ２，Ｓ２−）によっても差動プッシュプル法によるトラッキングエラー信号検出が可能である。
【００２７】
図３も図１における光ディスクＤ上の集光点位置を示す説明図であって、図２ではメインスポット（Ｍ１）が光ディスクＤの半径上に位置している。差動プッシュプル法では、メインスポット（Ｍ１）が常に同一半径上に沿って移動することが望ましいが、実際には誤差などにより光ディスクＤの最内周から最外周に至るまで常に同一半径上に沿って移動することは困難である。図３において、直線Ｐはメインスポット（Ｍ１）の移動軌跡を示しており、直線Ｒは直線Ｐとのずれが最も少ない半径を示している。この場合、メインスポット（Ｍ１）位置におけるトラック方向が半径によって変化するので、集光点配列方向とトラック方向とが成す角を所望の一定値に保つことは不可能である。よって、メインスポット（Ｍ１）の移動軌跡（Ｐ）とのずれが少ない半径（Ｒ）に対して集光点配列方向が所望の角度を成すように回折格子１０を調整することにより、集光点配列方向とトラック方向とが成す角の誤差を最少にとどめるようにする。
【００２８】
第２の光源７による光ディスクＤ上の集光点（Ｓ２＋，Ｍ２，Ｓ２−）は、図２に示すと同様に第１の光源６による集光点（Ｓ１＋，Ｍ１，Ｓ１−）からｘ方向へ等距離ずれた位置に集光する。したがって、第２の光源７によるメインスポット（Ｍ２）の移動軌跡は第１の光源６によるメインスポット（Ｍ１）の移動軌跡と略等しく、第１の光源６において、前記したようにトラッキングエラー検出誤差が最少になるように調整すれば、第２の光源７においても誤差は最少となる。
【００２９】
図４は本発明を実施していない構成例を説明するための斜視図であり、図１の実施形態の構成に対し、第１の光源６と第２の光源７との配列方向がｘ軸方向ではなくｚ軸方向となっている点のみが異なる。
【００３０】
図５は図４の構成例における光ディスクＤ上の集光点位置を示す説明図であって、第２の光源７による集光点（Ｓ２＋，Ｍ２，Ｓ２−）は、それぞれ第１の光源６による集光点（Ｓ１＋，Ｍ１，Ｓ１−）からｙ軸方向へ等距離離れた位置に集光する。直線Ｐ１は第１の光源６によるメインスポット（Ｍ１）の移動軌跡であり、直線Ｐ２は第２の光源７によるメインスポット（Ｍ２）の移動軌跡であり、互いに距離をおいて平行である。直線Ｒ１は直線Ｐ１とのずれが最も少ない半径であり、直線Ｒ２は直線Ｐ２とのずれが最も少ない半径であり、両者は一致しない。
【００３１】
第２の光源７による集光点（Ｓ２＋，Ｍ２，Ｓ２−）の配列方向が直線Ｒ２と所望の角度（Ａ）を成すように回折格子１０を調整してトラッキングエラー検出誤差が最少になるようにすると、第１の光源６による集光点（Ｓ１＋，Ｍ１，Ｓ１−）の配列方向と直線Ｒ１とが成す角（Ｂ）は所望の角度（Ａ）とは異なった値となる。したがって、第１の光源６ではトラッキングエラー検出誤差が最少とならない。
【００３２】
図１〜図３では説明を簡便にするために、両光源６，７の出射方向をｙ軸と平行に設定し、両光源６，７の配列方向をｘ軸と平行に設定したが、光ディスクＤ上でメインスポット（Ｍ１，Ｍ２）同士がｘ軸方向へ配列するような設定であれば、両光源６，７の出射方向はｙ軸と平行でなくともよく、この場合には両光源６，７の配列方向はｘ軸とは平行にならない。
【００３３】
また、差動プッシュプル法について説明したが、３ビーム法でも同様であって、この場合、サイドスポットをメインスポットに対して１／２トラックピッチではなく１／４トラックピッチずれた位置に設定すればよい。
【００３４】
また、回折格子１０は光源モジュール２に固定した方が経時変化や温度変化の影響を受け難く好ましい。この場合、光源モジュール２に回折格子１０を固定した後に、光源モジュール２をハウジング１へ搭載し、光源モジュール２ごと回折格子１０を回転して光ディスクＤ上の集光点配列方向を調整する。集光点配列方向とトラック方向とが成す角の設計値をθとしたときに、あらかじめ回折格子１０の格子方向を各光源６，７の配列方向からθ傾いた状態に調整して固定しておくことにより、光ディスクＤ上の第１の光源６による集光点と第２の光源７による集光点との配列方向が半径方向となるようにすることができる。
【００３５】
また、第１の光源６と第２の光源７とで、対象とする光ディスクＤのトラックピッチが異なっていてもよい。
【００３６】
ここで、ｎ個の光源の中で第ｎ光源の対象とするトラックピッチをＴｎ、メインスポットとサイドスポットとの間隔をＢｎ、メインスポットとサイドスポットとの配列方向とトラック方向とが成す角をθ、任意の自然数をＫｎとすると、差動プッシュプル法を採用するための最適条件は、（数９）となる。
【００３７】
【数９】
Ｂｎ×ｓｉｎθ≒Ｔｎ×（２×Ｋｎ−１）／２
また、３ビーム法を採用するための最適条件は、（数１０）となる。
【００３８】
【数１０】
Ｂｎ×ｓｉｎθ≒Ｔｎ×（２×Ｋｎ−１）／４
図６はその一例を示す説明図であって、Ｔ２／Ｔ１＝２，Ｂ１＝Ｂ２，Ｋ１＝３，Ｋ２＝３となっており、第１の光源６は（数９）を満たし、第２の光源７は（数１０）を満たす。
【００３９】
メインスポットとサイドスポットとの間隔Ｂｎは、図１〜図３に示す実施形態では第１の光源６と第２の光源７とで同一であったが、第１の光源６と第２の光源７との波長が異なる場合には、回折格子１０での回折角が異なるために異なる値となる。
【００４０】
集光点配列方向とトラック方向とが成す角θは第１の光源６と第２の光源７とで同一である。また自然数Ｋｎは第１の光源６と第２の光源７とで独立に任意の値をとることができる。
【００４１】
したがって、各光源６，７において（数９）あるいは（数１０）を満たすようにθを設定することで、使用波長やトラックピッチが異なる２種類のディスクに対して差動プッシュプル法あるいは３ビーム法の適用が可能となる。両光源６，７は別々のトラッキングエラー検出方式を採用することも可能である。
【００４２】
第１の光源６と第２の光源７が対象とするトラックピッチの組合わせによっては、（数９）あるいは（数１０）を両光源６，７が同時に満たす解がない場合もある。この場合、検出レベルは低下するものの、最悪条件に当てはまらないような条件に設定することで、両光源６，７において差動プッシュプル法あるいは３ビーム法を採用することができる。
【００４３】
差動プッシュプル法を採用できない最悪条件は、（数１１）となる。
【００４４】
【数１１】
Ｂｎ×ｓｉｎθ＝Ｔｎ×Ｋｎ
また、３ビーム法を採用できない最悪条件は、（数１２）となる。
【００４５】
【数１２】
Ｂｎ×ｓｉｎθ＝Ｔｎ×Ｋｎ／２
（数１１）あるいは（数１２）を満たさないようにθを設定する。
【００４６】
【発明の効果】
以上説明したように、請求項１に係る発明によれば、光ディスク上の集光点が各光源（発光点）により半径方向へずれるように設定しているので、差動プッシュプル法や３ビーム法におけるメインスポットとサイドスポットの最適な配列方向を各光源で同一にすることができる。
【００４７】
また請求項２に係る発明によれば、光ディスク上の集光点が各光源によりシーク方向へずれるように設定しているので、差動プッシュプル法や３ビーム法において、トラッキングエラー信号のシーク動作による変動が最少となる設定を各光源で同一にすることができる。
【００４８】
また請求項３に係る発明によれば、回折格子を有しているため、差動プッシュプル法や３ビーム法におけるサイドスポットを容易に生成することができ、各光源でサイドスポット生成手段を共有化することができる。
【００４９】
また請求項４に係る発明によれば、出射光束分割用の回折格子が光源モジュールに固定されているため、経時変化や温度変化の影響を受け難く安定した特性が得られる。
【００５０】
また請求項５に係る発明によれば、波長の異なる複数の光源を搭載しているため、光源を切り替えることにより、使用波長の異なる複数種類の光ディスクに対応することができる。
【００５１】
また請求項６，９に係る発明によれば、サイドスポット生成条件を使用波長とトラックピッチの複数の組合わせに対応して差動プッシュプル法用に設定しているため、光源を切り替えることにより使用波長やトラックピッチの異なる複数種類の光ディスクに差動プッシュプル法で対応することができる。
【００５２】
請求項７，１０に係る発明によれば、サイドスポット生成条件を使用波長とトラックピッチの複数の組合わせに対応して３ビーム法用に設定しているため、光源を切り替えることにより使用波長やトラックピッチの異なる複数種類の光ディスクに３ビーム法で対応することができる。
【００５３】
請求項８，１１に係る発明によれば、サイドスポット生成条件を使用波長とトラックピッチとトラッキングエラー検出方法の複数の組合わせに対応して設定しているため、光源を切り替えることにより使用波長やトラックピッチやトラッキングエラー検出方法の異なる複数種類の光ディスクに対応することができる。
【００５４】
請求項１２に係る発明によれば、回折格子の格子方向を光源の配列方向に対して所定の方向に設定しているので、回折格子を光源モジュールに固定した後に光源モジュールごと回転させて、光ディスク上の集光点配列方向を調整すると共に、光源による光ディスク上の集光点のずれを半径方向にすることができる。
【図面の簡単な説明】
【図１】本発明の実施形態を説明するための光ピックアップを示す斜視図
【図２】図１における光ディスクＤ上の集光点位置を示す説明図
【図３】図１における光ディスクＤ上の集光点位置を示す説明図
【図４】本発明を実施していない構成例を説明するための斜視図
【図５】図４の構成例における光ディスクＤ上の集光点位置を示す説明図
【図６】本発明の実施例における光ディスクＤ上の集光点位置を示す説明図
【符号の説明】
１  ハウジング
２  光源モジュール
３  カップリングレンズ
４  立上げミラー
５  対物レンズ
６  第１の光源
７  第２の光源
８  受光素子
９  ホログラム素子
１０  回折格子
Ｍ１，Ｍ２  メインスポット
Ｓ１＋，Ｓ１−，Ｓ２＋，Ｓ２−  サイドスポット
Ｔｐ  トラックピッチ
【図１】
0004038012.tif 000010
【図２】
0004038012.tif 000011
【図３】
0004038012.tif 000012
【図４】
0004038012.tif 000013
【図５】
0004038012.tif 000014
【図６】
0004038012.tif 000015